(57)【要約】      （修正有）【訣題】洗剤の有効活用を図ったブラシを提供する。【解決手段】ブラシＢは、複数本の刷毛を束ねた毛束１０、２０を本体１に複数植設したブラシＢであって、複数植設した毛束１０、２０は、少なくとも、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３とを有し、第１の毛束群Ｇ１と第３の毛束群Ｇ３の間に第２の毛束群Ｇ２が位置し、第１の毛束群Ｇ１及び第３の毛束群Ｇ３の刷毛の先端部は、先割れとなっておらず、第２の毛束群Ｇ２の刷毛の先端部は、先割れとなっているものである。【選択図】図３
0003179589.tif 000002
【実用新案登録請求の範囲】
【請求項１】
複数本の刷毛を束ねた毛束を本体に複数植設したブラシであって、
前記複数植設した毛束は、少なくとも、同じ毛束を複数に並設して構成された第１の毛束群と、同じ毛束を複数に並設して構成された第２の毛束群と、同じ毛束を複数に並設して構成された第３の毛束群とを有し、
前記第１の毛束群と前記第３の毛束群の間に前記第２の毛束群が位置し、
前記第１の毛束群及び前記第３の毛束群の前記刷毛の先端部は、先割れとなっておらず、前記第２の毛束群の前記刷毛の先端部は、先割れとなっている
ことを特徴とするブラシ。
【請求項２】
複数本の刷毛を束ねた毛束を本体に複数植設したブラシであって、
前記複数植設した毛束は、少なくとも、同じ毛束を複数に並設して環状に配置された第１の毛束群と、同じ毛束を複数に並設して環状に配置された第２の毛束群とを有し、
前記第２の毛束群の外側に前記第１の毛束群が位置し、
前記第１の毛束群の前記刷毛の先端部は、先割れとなっておらず、前記第２の毛束群の前記刷毛の先端部は、先割れとなっている
ことを特徴とするブラシ。
【請求項３】
複数本の刷毛を束ねた毛束を本体に複数植設したブラシであって、
前記複数植設した毛束は、少なくとも、同じ毛束を複数に並設して略Ｕ字形状に配置された第１の毛束群と、同じ毛束を複数に並設して略Ｕ字形状に配置された第２の毛束群とを有し、
前記第２の毛束群の外側に前記第１の毛束群が位置し、
前記第１の毛束群の前記刷毛の先端部は、先割れとなっておらず、前記第２の毛束群の前記刷毛の先端部は、先割れとなっている
ことを特徴とするブラシる。
【請求項４】
複数本の刷毛を束ねた毛束を本体に複数植設したブラシであって、
前記複数植設した毛束は、少なくとも、同じ毛を複数有する第１の毛束と、同じ毛を複数有する第２の毛束と、同じ毛を複数有する第３の毛束とを有し、
前記第１の毛束と前記第３の毛束の間に前記第２の毛束が位置し、
前記第１の毛束及び前記第３の毛束の前記刷毛の先端部は、先割れとなっておらず、前記第２の毛束の前記刷毛の先端部は、先割れとなっている
ことを特徴とするブラシ。
【考案の詳細な説明】
【技術分野】
【０００１】
本考案は、ブラシに係り、特に、洗剤の有効活用を図ったブラシに関する。
【背景技術】
【０００２】
従来、例えば、ブラシとして特許文献１記載のものがある。
【先行技術文献】
【特許文献】
【０００３】
【特許文献１】実用新案登録第３１５５６４０号公報
【考案の概要】
【考案が解決しようとする課題】
【０００４】
上述のブラシは、均一の刷毛を複数植設したもので、刷毛自体に洗剤の泡持ち効果を期待できず、使用勝手が良好でないという問題点があった。
【０００５】
本考案は、上記の問題点を除去するようにしたブラシを提供することを目的とする。
【課題を解決するための手段】
【０００６】
請求項１記載のブラシは、複数本の刷毛を束ねた毛束を本体に複数植設したブラシであって、前記複数植設した毛束は、少なくとも、同じ毛束を複数に並設して構成された第１の毛束群と、同じ毛束を複数に並設して構成された第２の毛束群と、同じ毛束を複数に並設して構成された第３の毛束群とを有し、前記第１の毛束群と前記第３の毛束群の間に前記第２の毛束群が位置し、前記第１の毛束群及び前記第３の毛束群の前記刷毛の先端部は、先割れとなっておらず、前記第２の毛束群の前記刷毛の先端部は、先割れとなっているものである。
【０００７】
また、請求項２記載のブラシは、複数本の刷毛を束ねた毛束を本体に複数植設したブラシであって、前記複数植設した毛束は、少なくとも、同じ毛束を複数に並設して環状に配置された第１の毛束群と、同じ毛束を複数に並設して環状に配置された第２の毛束群とを有し、前記第２の毛束群の外側に前記第１の毛束群が位置し、前記第１の毛束群の前記刷毛の先端部は、先割れとなっておらず、前記第２の毛束群の前記刷毛の先端部は、先割れとなっているものである。
【０００８】
また、請求項３記載のブラシは、複数本の刷毛を束ねた毛束を本体に複数植設したブラシであって、前記複数植設した毛束は、少なくとも、同じ毛束を複数に並設して略Ｕ字形状に配置された第１の毛束群と、同じ毛束を複数に並設して略Ｕ字形状に配置された第２の毛束群とを有し、前記第２の毛束群の外側に前記第１の毛束群が位置し、前記第１の毛束群の前記刷毛の先端部は、先割れとなっておらず、前記第２の毛束群の前記刷毛の先端部は、先割れとなっているものである。
【０００９】
また、請求項４記載のブラシは、複数本の刷毛を束ねた毛束を本体に複数植設したブラシであって、前記複数植設した毛束は、少なくとも、同じ毛を複数有する第１の毛束と、同じ毛を複数有する第２の毛束と、同じ毛を複数有する第３の毛束とを有し、前記第１の毛束と前記第３の毛束の間に前記第２の毛束が位置し、前記第１の毛束及び前記第３の毛束の前記刷毛の先端部は、先割れとなっておらず、前記第２の毛束の前記刷毛の先端部は、先割れとなっているものである。
【考案の効果】
【００１０】
請求項１記載のブラシによれば、第１の毛束群と第３の毛束群の間に第２の毛束群が位置し、第２の毛束群の刷毛の先端部は、先割れとなっているため、第２の毛束群の刷毛に洗剤を含ませて使用すれば、第２の毛束群から第１の毛束群の方向へブラシを動かせば、第２の毛束群の刷毛の先端部の先割れにより第２の毛束群の刷毛に付着した洗剤の泡持ち効果が発揮され、第２の毛束群の刷毛で被清掃面が清掃されると共に、第３の毛束群の刷毛で汚れを掻き取り、また、第２の毛束群の刷毛から離脱した洗剤は、第３の毛束群の刷毛でも使用することができ、洗剤の有効活用を図ることができ、また、第２の毛束群の刷毛に洗剤を含ませて、第２の毛束群から第３の毛束群の方向へブラシを動かせば、第２の毛束群の刷毛の先端部の先割れにより第２の毛束群の刷毛に付着した洗剤の泡持ち効果が発揮され、第２の毛束群の刷毛で被清掃面が清掃されると共に、第１の毛束群の刷毛で汚れを掻き取り、また、第２の毛束群の刷毛から離脱した洗剤は、第１の毛束群の刷毛でも使用することができ、洗剤の有効活用を図ることができる。
【００１１】
また、請求項２記載のブラシによれば、第２の毛束群の外側に第１の毛束群が位置し、前記第２の毛束群の刷毛の先端部は、先割れとなっているため、第２の毛束群の刷毛に洗剤を含ませて使用すれば、第２の毛束群の刷毛の先端部の先割れにより第２の毛束群の刷毛に付着した洗剤の泡持ち効果が発揮され、第２の毛束群の刷毛で被清掃面が清掃されると共に、第１の毛束群の刷毛で汚れを掻き取り、また、第２の毛束群の刷毛から離脱した洗剤は、第１の毛束群の刷毛でも使用することができ、洗剤の有効活用を図ることができる。
【００１２】
また、請求項３記載のブラシによれば、第２の毛束群の外側に第１の毛束群が位置し、前記第２の毛束群の刷毛の先端部は、先割れとなっているため、第２の毛束群の刷毛に洗剤を含ませて使用すれば、第２の毛束群の刷毛の先端部の先割れにより第２の毛束群の刷毛に付着した洗剤の泡持ち効果が発揮され、第２の毛束群の刷毛で被清掃面が清掃されると共に、第１の毛束群の刷毛で汚れを掻き取り、また、第２の毛束群の刷毛から離脱した洗剤は、第１の毛束群の刷毛でも使用することができ、洗剤の有効活用を図ることができる。
【００１３】
また、請求項４記載のブラシによれば、第１の毛束と第３の毛束の間に第２の毛束が位置し、第２の毛束の刷毛の先端部は、先割れとなっているため、ブラシに洗剤を含ませて使用すれば、第２の毛束から第１の毛束の方向へブラシを動かせば、第２の毛束の刷毛の先端部の先割れにより第２の毛束の刷毛に付着した洗剤の泡持ち効果が発揮され、第２の毛束の刷毛で被清掃面が清掃されると共に、第３の毛束の刷毛で汚れを掻き取り、また、第２の毛束の刷毛から離脱した洗剤は、第３の毛束の刷毛でも使用することができ、洗剤の有効活用を図ることができ、また、ブラシに洗剤を含ませて使用すれば、第２の毛束から第３の毛束の方向へブラシを動かせば、第２の毛束の刷毛の先端部の先割れにより第２の毛束の刷毛に付着した洗剤の泡持ち効果が発揮され、第２の毛束の刷毛で被清掃面が清掃されると共に、第１の毛束の刷毛で汚れを掻き取り、また、第２の毛束の刷毛から離脱した洗剤は、第１の毛束の刷毛でも使用することができ、洗剤の有効活用を図ることができる。
【図面の簡単な説明】
【００１４】
【図１】図１は、本考案の一実施例のブラシの概略的平面図である。
【図２】図２は、図１のブラシの概略的正面図である。
【図３】図３は、図１のブラシの概略的底面図である。
【図４】図４は、図２の第１の毛束群の刷毛の部位を拡大して示す概略的一部拡大図である。
【図５】図５は、図２の第２の毛束群の刷毛の部位を拡大して示す概略的一部拡大図である。
【図６】図６は、図１のブラシと異なる他の実施例のブラシの概略的底面図である。
【図７】図７は、図６のブラシと異なる他の実施例のブラシの概略的平面図である。
【図８】図８は、図７のブラシの概略的正面図である。
【図９】図９は、図７のブラシの概略的底面図である。
【図１０】図１０は、図７のブラシと異なる他の実施例のブラシの概略的底面図であ
【図１１】図１１は、図６のブラシと異なる他の実施例のブラシの概略的底面図である。
【図１２】図１２は、図１１の第２の毛束の部位の概略的断面図である。
【図１３】図１３は、図１２の第２の毛束の本体への取り付け前の状態の概略的図である。
【図１４】図１４は、図１２におけるＸ部を拡大して示す概略的一部拡大図である。
【考案を実施するための形態】
【００１５】
本考案の一実施例のブラシを図面を参照して説明する。
図１〜図３に示すＢは台所、浴室、便所等の清掃用に用いられるブラシで、ブラシＢは、複数本の刷毛１０１、２０１（図４及び図５参照）を束ねた毛束１０、２０を本体１に複数植設したものである。
【００１６】
本体１に複数植設した毛束１０、２０は、少なくとも、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３とを有している（図３参照）。
第２の毛束群Ｇ２は、図３に示すように、毛束２０を幅Ａに亘り設けられ、第１の毛束群Ｇ１と第３の毛束群Ｇ３の間に位置している。
【００１７】
毛束１０、２０は、複数本の刷毛１０１、２０１（図４及び図５参照）を束ねたもので、毛束１０、２０を構成する刷毛は、ナイロン、ポリプロピレン、塩化ビニール、ポリエステル等の化学繊維、パキン等の植物繊維、馬毛、豚毛、猪毛等の天然素材を素材としたもので、例えば、直径約０．３５mm、長さ約７０mmのものを図１３に示すように二つ折りにして多数（例えば、約３０本）束ねている（一つの毛束１０、２０は、例えば、約３０本の刷毛１０１、２０１を二つ折りにして束ねている。）。
【００１８】
第１の毛束群Ｇ１、第３の毛束群Ｇ３の毛束１０を構成する刷毛１０１の先端部は、先割れとなっていないが（図４参照）、第２の毛束群Ｇ２の毛束２０を構成する刷毛２０１の先端部は、先割れとなっている（図５参照）。
また、本体１には、図示しないが、洗剤を収納する収納部が設けられ、該収納部から洗剤を第２の毛束群Ｇ２の毛束２０を構成する刷毛に供給する供給口１ａが第２の毛束群Ｇ２の毛束２０を構成する刷毛２０１の根本近傍に設けられている。
なお、上述のブラシＢは、洗剤を収納する図示しない収納部が設けられているが、本考案のブラシＢにあっては、これに限らず、洗剤を収納する収納部を設けていないものにも適用できるものである。
【００１９】
従って、上述したブラシＢによれば、第１の毛束群Ｇ１と第３の毛束群Ｇ３の間に第２の毛束群Ｇ２が位置し、第２の毛束群Ｇ２の刷毛２０１の先端部は、先割れとなっているため、第２の毛束群Ｇ２の刷毛２０１に洗剤を含ませて使用すれば、第２の毛束群Ｇ２から第１の毛束群Ｇ１の方向へブラシＢを動かせば、第２の毛束群Ｇ２の刷毛２０１の先端部の先割れにより第２の毛束群Ｇ２の刷毛２０１に付着した洗剤の泡持ち効果が発揮され、第２の毛束群Ｇ２の刷毛２０１で被清掃面（図示せず）が清掃されると共に、第３の毛束群Ｇ３の刷毛１０１で汚れを掻き取り、また、第２の毛束群Ｇ２の刷毛２０１から離脱した洗剤は、第３の毛束群Ｇ３の刷毛１０１でも使用することができ、洗剤の有効活用を図ることができ、また、第２の毛束群Ｇ２の刷毛２０１に洗剤を含ませて、第２の毛束群Ｇ２から第３の毛束群Ｇ３の方向へブラシＢを動かせば、第２の毛束群Ｇ２の刷毛２０１の先端部の先割れにより第２の毛束群Ｇ２の刷毛２０１に付着した洗剤の泡持ち効果が発揮され、第２の毛束群Ｇ２の刷毛２０１で被清掃面（図示せず）が清掃されると共に、第１の毛束群Ｇ１の刷毛１０１で汚れを掻き取り、また、第２の毛束群Ｇ２の刷毛２０１から離脱した洗剤は、第１の毛束群Ｇ１の刷毛１０１でも使用することができ、洗剤の有効活用を図ることができる。
【００２０】
上述した実施例においては、本体１に複数植設した毛束１０、２０は、少なくとも、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３とを有する（図３参照）ものとしたが、
本願考案にあっては、これに限らず、図６に示すように、本体１に複数植設した毛束１０、２０は、少なくとも、同じ毛束１０を複数に並設して環状に配置された第１の毛束群Ｇ１と、同じ毛束２０を複数に並設して環状に配置された第２の毛束群Ｇ２とを有し、第２の毛束群Ｇ２の外側に第１の毛束群Ｇ１が位置するようにしても良い。
この場合、第１の毛束群Ｇ１の毛束１０を構成する刷毛（図６の毛束１０を構成する刷毛は図４の刷毛１０１と同様のものである。）の先端部は、先割れとなっていないが、第２の毛束群Ｇ２の毛束２０を構成する刷毛（図６の毛束２０を構成する刷毛は図５の刷毛２０１と同様のものである。）の先端部は、先割れとなっている。
【００２１】
従って、上述した図６記載のブラシＢによれば、第２の毛束群Ｇ２の外側に第１の毛束群Ｇ１が位置し、第２の毛束群Ｇ２の刷毛（図６の毛束２０を構成する刷毛は図５の刷毛２０１と同様のものである。）の先端部は、先割れとなっているため、第２の毛束群Ｇ２の刷毛に洗剤を含ませて使用すれば、第２の毛束群Ｇ２の刷毛の先端部の先割れにより第２の毛束群Ｇ２の刷毛に付着した洗剤の泡持ち効果が発揮され、第２の毛束群Ｇ２の刷毛で被清掃面（図示せず）が清掃されると共に、第１の毛束群Ｇ１の刷毛（図６の毛束１０を構成する刷毛は図４の刷毛１０１と同様のものである。）で汚れを掻き取り、また、第２の毛束群Ｇ２の刷毛から離脱した洗剤は、第１の毛束群Ｇ１の刷毛でも使用することができ、洗剤の有効活用を図ることができる。                           
【００２２】
上述した実施例においては、本体１に複数植設した毛束１０、２０は、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３とを有する（図３参照）としたが、
本願考案にあっては、これに限らず、図９に示すように、本体１に複数植設した毛束１０、２０は、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３と、同じ毛束２０を複数に並設して構成された第４の毛束群Ｇ４と、同じ毛束１０を複数に並設して構成された第５の毛束群Ｇ５とを有するようにしても良い。
この場合、第１の毛束群Ｇ１、第３の毛束群Ｇ３及び第５の毛束群Ｇ５の毛束１０を構成する刷毛（図９の毛束１０を構成する刷毛は図４の刷毛１０１と同様のものである。）の先端部は、先割れとなっていないが、第２の毛束群Ｇ２及び第４の毛束群Ｇ４の毛束２０を構成する刷毛（図９の毛束２０を構成する刷毛は図５の刷毛２０１と同様のものである。）の先端部は、先割れとなっている。
第２の毛束群Ｇ２及び第４の毛束群Ｇ４は、図９に示すように、毛束２０を幅Ａに亘り、それぞれ設けられている。
なお、図７及び図８に示すＴは、本体１の取っ手である。
【００２３】
また、上述した図６記載のブラシＢにおいては、本体１に複数植設した毛束１０、２０は、少なくとも、同じ毛束１０を複数に並設して環状に配置された第１の毛束群Ｇ１と、同じ毛束２０を複数に並設して環状に配置された第２の毛束群Ｇ２とを有する（図６参照）としたが、
本願考案にあっては、これに限らず、図１０に示すように、本体１に複数植設した毛束１０、２０は、少なくとも、同じ毛束１０を複数に並設して略Ｕ字形状に配置された第１の毛束群Ｇ１と、同じ毛束２０を複数に並設して略Ｕ字形状に配置された第２の毛束群Ｇ２とを有し、第２の毛束群Ｇ２の外側に第１の毛束群Ｇ１が位置するようにしても良い。
この場合、第１の毛束群Ｇ１の毛束１０を構成する刷毛（図１０の毛束１０を構成する刷毛は、図４の刷毛１０１と同様のものである。）の先端部は、先割れとなっていないが、第２の毛束群Ｇ２の毛束２０を構成する刷毛（図１０の毛束２０を構成する刷毛は図５の刷毛２０１と同様のものである。）の先端部は、先割れとなっている。
【００２４】
従って、上述した図１０記載のブラシＢによれば、第２の毛束群Ｇ２の外側に第１の毛束群Ｇ１が位置し、第２の毛束群２０の刷毛（図１０の毛束２０を構成する刷毛は図５の刷毛２０１と同様のものである。）の先端部は、先割れとなっているため、第２の毛束群Ｇ２の刷毛に洗剤を含ませて使用すれば、第２の毛束群Ｇ２の刷毛の先端部の先割れにより第２の毛束群Ｇ２の刷毛に付着した洗剤の泡持ち効果が発揮され、第２の毛束群Ｇ２の刷毛で被清掃面（図示せず）が清掃されると共に、第１の毛束群Ｇ１の刷毛（図１０の毛束１０を構成する刷毛は、図４の刷毛１０１と同様のものである。）で汚れを掻き取り、また、第２の毛束群Ｇ２の刷毛から離脱した洗剤は、第１の毛束群Ｇ１の刷毛でも使用することができ、洗剤の有効活用を図ることができる。
【００２５】
上述した実施例においては、本体１に複数植設した毛束１０、２０は、同じ毛束１０を複数に並設して構成された第１の毛束群Ｇ１と、同じ毛束２０を複数に並設して構成された第２の毛束群Ｇ２と、同じ毛束１０を複数に並設して構成された第３の毛束群Ｇ３とを有する（図１〜図１０参照）としたが、
本願考案にあっては、これに限らず、図１１に示すように、複数本の刷毛を束ねた毛束を本体１に複数植設したブラシＢであって、複数植設した毛束は、少なくとも、同じ毛を複数有する第１の毛束ｇ１と、同じ毛を複数有する第２の毛束ｇ２と、同じ毛を複数有する第３の毛束ｇ３とを有している（図１１乃至図１４参照）。
【００２６】
そして、第１の毛束ｇ１と第３の毛束ｇ３の間に第２の毛束ｇ２が位置し、第１の毛束ｇ１及び第３の毛束ｇ２の刷毛は、例えば、直径約０．３５mm、長さ約７０mmのものを図１３に示すように二つ折りにして多数（例えば、約３０本）束ね、第１の毛束ｇ１及び第３の毛束ｇ２の刷毛の先端部は、先割れとなっていない。
また、第２の毛束ｇ２の刷毛は、例えば、直径約０．３５mm、長さ約７０mmのものを図１３に示すように二つ折りにして多数（例えば、約３０本）束ね、第２の毛束ｇ２の刷毛の先端部は、図１４に示すように、先割れとなっている。
【００２７】
従って、上述した図１１記載のブラシＢによれば、第１の毛束ｇ１と第３の毛束ｇ３の間に第２の毛束ｇ２が位置し、第２の毛束ｇ２の刷毛の先端部は、図１４に示すように先割れとなっているため、ブラシＢに洗剤を含ませて使用すれば、第２の毛束ｇ２から第１の毛束ｇ１の方向へブラシＢを動かせば、第２の毛束ｇ２の刷毛の先端部の先割れにより第２の毛束ｇ２の刷毛に付着した洗剤の泡持ち効果が発揮され、第２の毛束ｇ２の刷毛で被清掃面（図示せず）が清掃されると共に、第３の毛束ｇ３の刷毛で汚れを掻き取り、また、第２の毛束ｇ２の刷毛から離脱した洗剤は、第３の毛束ｇ３の刷毛でも使用することができ、洗剤の有効活用を図ることができ、また、ブラシＢに洗剤を含ませて使用すれば、第２の毛束ｇ２から第３の毛束ｇ３の方向へブラシＢを動かせば、第２の毛束ｇ２の刷毛の先端部の先割れにより第２の毛束ｇ２の刷毛に付着した洗剤の泡持ち効果が発揮され、第２の毛束ｇ２の刷毛で被清掃面（図示せず）が清掃されると共に、第１の毛束ｇ１の刷毛で汚れを掻き取り、また、第２の毛束ｇ２の刷毛から離脱した洗剤は、第１の毛束ｇ１の刷毛でも使用することができ、洗剤の有効活用を図ることができる。
【符号の説明】
【００２８】
Ｂ      ブラシ
Ｇ１    第１の毛束群
Ｇ２    第２の毛束群
Ｇ３    第３の毛束群
１      本体
１０    毛束
２０    毛束
１０１  刷毛
２０１  刷毛
【図１】
0003179589.tif 000003
【図２】
0003179589.tif 000004
【図３】
0003179589.tif 000005
【図４】
0003179589.tif 000006
【図５】
0003179589.tif 000007
【図６】
0003179589.tif 000008
【図７】
0003179589.tif 000009
【図８】
0003179589.tif 000010
【図９】
0003179589.tif 000011
【図１０】
0003179589.tif 000012
【図１１】
0003179589.tif 000013
【図１２】
0003179589.tif 000014
【図１３】
0003179589.tif 000015
【図１４】
0003179589.tif 000016